(57)【要約】  【課題】  光コードによる配線でも、低コストかつ接続ミスの発生を抑止しつつ、誤接続予防機能および誤接続監視機能も実現するような配線盤を提供する。  【解決手段】  配線用光コード３０１と導線３０２とを並走させる光接続ケーブル３００により、一次側，二次側の各ポートで、配線用の光接続に加えて接続確認用の電気接続を行い、電気接続がなされている場合には、一次側，二次側の各ポートで接続されて回線が形成されたことを確認できるような配線盤１０００とした。【選択図】  図１
2006039165.tif 000002
【特許請求の範囲】
【請求項１】
一次側の外線および二次側の外線からそれぞれ引き出される複数の一次側光コードおよび複数の二次側光コードの間で配線するための配線盤であって、
一次側光コードの端末に設けられる一次側光コネクタと、
二次側光コードの端末に設けられる二次側光コネクタと、
一次側導線の端末に設けられる一次側接続部と、
二次側導線の端末に設けられる二次側接続部と、
一次側光コネクタおよび一次側接続部を収容する一次側コネクタユニットと、
二次側光コネクタおよび二次側接続部を収容する二次側コネクタユニットと、
一次側コネクタユニット周辺に配置される一次側誘導発光部と、
二次側コネクタユニット周辺に配置される二次側誘導発光部と、
配線用光コードおよび導線が並走し、光接続部および電気接続部を共に有する一次側共用コネクタおよび二次側共用コネクタが両端に設けられる光接続ケーブルと、
接続設定された組みを表す接続設定データを保存する接続設定データ保存部と、
接続設定データ保存部から接続設定データを読み出して、設定された一組の一次側誘導発光部および二次側誘導発光部を発光させる表示用ドライバ部と、
一次側導線および二次側導線に接続され、設定された一次側接続部および二次側接続部が導線に接続されていることを表すループ検出または信号通信が確認された場合に、表示用ドライバ部に一次側誘導発光部および二次側誘導発光部を消灯させる消灯信号を出力する接続確認部と、
を備えることを特徴とする配線盤。
【請求項２】
請求項１に記載の配線盤において、
前記接続確認部は、設定された一次側接続部および二次側接続部並びに導線とで形成される回線によるループ検出または信号通信が確認されない場合に、表示用ドライバ部に一次側誘導発光部および二次側誘導発光部を点滅させる点滅信号を出力することを特徴とする配線盤。
【請求項３】
請求項２に記載の配線盤において、
前記接続確認部は、ブザーによる警報報知またはスピーカによる音声報知により接続がされていないことを報知する報知部を備えることを特徴とする配線盤。
【請求項４】
請求項１〜請求項３の何れか一項に記載の配線盤において、
接続設定データを送信する設定表示部と、
接続設定データを受信して接続設定データ保存部へ送信する通信部と、
を備えることを特徴とする配線盤。
【請求項５】
請求項４に記載の配線盤において、
前記設定表示部と前記通信部との間にはネットワークが介在することを特徴とする配線盤。
【発明の詳細な説明】
【技術分野】
【０００１】
本発明は、多数ある一次側、二次側のポートの中から一組の一次側、二次側のポートを選択し、光接続ケーブルを介してこれら一次側、二次側のポートを接続して通信回路を形成する配線盤に関する。
【背景技術】
【０００２】
配線盤の従来技術例としてパッチパネル盤を例に挙げ、このパッチパネル盤について図を参照しつつ説明する。図６は、従来技術のパッチパネル盤の接続部の説明図である。実際は一次側、二次側ともに多数のコネクタユニットがあるが、説明の便宜上のため、一次側、二次側ともに接続対象のコネクタユニットのみ図示して説明する。
従来技術の接続部では、図６で示すように、一次側光コード１、二次側光コード２、光接続ケーブル３、一次側コネクタユニット４、二次側コネクタユニット５を備える。
【０００３】
一次側光コード１の端末では一次側光コネクタ１ａが形成され、この一次側光コネクタ１ａは一次側コネクタユニット４に収容されている。二次側光コード２の端末では二次側光コネクタ２ａが形成され、この二次側光コネクタ２ａは二次側コネクタユニット５に収容されている。光接続ケーブル３の両側端末では一次側光コネクタ３ａ、二次側光コネクタ３ｂが形成されている。
【０００４】
図６で示すように、一次側コネクタユニット４に、光接続ケーブル３の一次側光コネクタ３ａを収容すると、一次側光コネクタ１ａと一次側光コネクタ３ａとが対向して配置され、光学的に接続される。
また、二次側コネクタユニット５に、光接続ケーブル３の二次側光コネクタ３ｂを収容すると、二次側光コネクタ２ａと二次側光コネクタ３ｂとが対向して配置され、光学的に接続される。
これにより、光接続ケーブル３を介して一次側光コード１および二次側光コード２が接続されるというものである。
【０００５】
このようなパッチパネル盤の接続では、まず、作業指示書（ポート接続表など）を参照して、作業者が該当するポートの一次側，二次側コネクタユニットを探索して光接続ケーブルの一次側，二次側光コネクタを差し込み、その後、実際の光データ等を使用して接続が正しいか否かを確認している。そして、確認終了後、接続した一次側，二次側のポートについて作業員がポート管理表に記入するというものであり、一次側，二次側の各ポートでは示名状片（書き込み式）によりアドレス情報を表示したり、またはアドレス情報の表示を省略するというものである。
【０００６】
このような従来技術例では、（１）の接続時に誤って接続するという誤接続のおそれ、および、（２）の記入時に作業員が間違って記入するという誤記入（記入間違い、記入漏れ等）のおそれがあり、何れも管理ミスとなるおそれがあった。
【０００７】
そこで、このような管理ミスを低減するため、各種工夫がなされている。このような従来技術例について図を参照しつつ説明する。図７は従来技術の他のパッチパネル盤の接続部の説明図である。このパッチパネル盤では、上記（１）の誤接続を防止するものであり、図６で示した従来技術例に加えて、一次側誘導ＬＥＤ６ａ、二次側誘導ＬＥＤ６ｂ、表示用ドライバ部７、接続設定データ保存部８、設定表示部９を備えている。
【０００８】
このパッチパネル盤では、接続すべき一次側の接続部と二次側の接続部とを明示する接続設定データを入力できるようになされ、作業員が設定表示部（具体的にはパーソナルコンピュータである）９を操作して、接続設定データを入力すると、設定表示部９の表示部（具体的にはパーソナルコンピュータのディスプレイである。）に接続設定データが表示される。さらに、この接続設定データが接続設定データ保存部８で一旦保存され、表示用ドライバ部７へ出力される。表示用ドライバ部７は発光に必要な電力信号である一次側ＬＥＤ制御信号，二次側ＬＥＤ制御信号を、設定された一次側誘導ＬＥＤ６ａおよび二次側誘導ＬＥＤ６ｂへ出力すると、多数の中から選択された一つの一次側誘導ＬＥＤ６ａおよび二次側誘導ＬＥＤ６ｂがそれぞれ点灯する。これら発光する一次側誘導ＬＥＤ６ａにより接続対象となっている一次側コネクタユニット４が選択され、また、発光する二次側誘導ＬＥＤ６ｂにより接続対象となっている二次側コネクタユニット５が選択される。
このような従来技術では、接続対象となっているポート選択が容易となって誤接続が少なくなるという利点がある。
【０００９】
以上、図６，７を参照して従来技術について説明した。このようなパッチパネル盤の他の従来技術例として、例えば、特許文献１（発明の名称：端末識別ケーブル）に記載された従来技術では、機器を接続するケーブルの外周にその全長に亘って光ファイバーを配したものであり、その光ファイバーの一端部から光を照射して光ファイバーの他端部を発光させてケーブルの識別をするようにして、ケーブルの識別力を向上させることによって、誤配線の防止、作業効率の向上を実現している。
【００１０】
また、他の従来技術例として、例えば、特許文献２（発明の名称：配線接続装置及び配線接続方法）に記載された従来技術では、光コードではなくメタルケーブルを対象とするものであるが、図７で説明した従来技術のようにＬＥＤで接続位置を知らせる技術が開示されている。
【００１１】
【特許文献１】特開２００１−１４５２２１号公報（段落番号００１２〜００３０，図１〜図４）
【特許文献２】特開平６−２６０２３５号公報（段落番号００１７，００１８，図２）
【発明の開示】
【発明が解決しようとする課題】
【００１２】
上記したようにパッチパネル盤における管理ミス対策として、（１）希望したポート間の接続を間違いなく行う誤接続予防機能と、（２）接続したポート間の管理を正確に行う誤接続管理機能と、を共に備えるようなパッチパネル盤としたいという要請がある。
しかしながら、図７で示すパッチパネル盤による従来技術ではこれら機能を共に兼ね備えるようなパッチパネル盤ではなかった。図７で示すパッチパネル盤では、一次側，二次側コネクタユニットに一次側，二次側誘導ＬＥＤを取り付けて、接続させるポートを発光により通知することで（１）の誤接続予防機能を実現しているが、接続後は従来型の管理（光コードを挿入後、そのポート間は本当に接続されたのか人手により確認して管理表に記入する。）というものであり、誤接続予防機能および誤接続監視機能を共に満たすものではなかった。このように両機能を満たさないという点は特許文献１に記載の従来技術も同様であった。
【００１３】
また、特許文献２に記載した従来技術では、ＬＥＤ表示による誘導や、六線の中の一線を接続確認線として接続確認を行うものであるが、光コードによるパッチパネル盤の場合では単純に適用できないという事情があった。通信線と接続確認線との光コードを併走させた光接続ケーブルを用いたとすると、接続確認をできるようにするために接続確認線用の光コード、Ｅ／Ｏ変換器、Ｏ／Ｅ変換器などがポートの数だけ必要となって、コストが大幅に上昇するという問題があった。さらには、複数の光コードが併走する光接続ケーブルでは、一次側，二次側コネクタユニットにおいてコネクタを正確な位置で対向させる必要があるが、複数の光コードで折り曲げにくくなっている光接続ケーブルからの力によりコネクタ位置がずれて、光信号がうまく通信できなくなり、この点で接続ミスになるおそれもある。この接続ミスは一次側，二次側コネクタユニットにおいてコネクタが正しく接続されているため却って接続ミスの原因が分からず、管理を困難にするおそれもあった。
【００１４】
そこで、本発明は、上記の課題を解決するためになされたものであり、その目的は、光コードによる配線でも、低コストかつ接続ミスの発生を抑止しつつ、誤接続予防機能および誤接続監視機能も実現するような配線盤を提供することにある。
【課題を解決するための手段】
【００１５】
（１）誤接続予防機能を実現するため、接続対象となっている一次側ポート，二次側ポートを通知する。
これは配線盤の一次側，二次側の各ポートにそれぞれ表示用の一次側誘導発光部（例えばＬＥＤ，レーザダイオード，ランプなどである），二次側誘導発光部（例えばＬＥＤ，レーザダイオード，ランプなどである）を設ける。そして、接続する一次側ポート，二次側ポートの組みを設定表示部（例えばパーソナルコンピュータ（以下ＰＣ））で選択して、表示部で表示させるとともに、これら一次側ポート，二次側ポートの一次側誘導発光部，二次側誘導発光部を点灯させる。
【００１６】
（２）誤接続監視機能を実現するためポートは本当に接続されたのか確認する。
これは一次側コネクタユニットと、光接続コードと、二次側コネクタユニットとの内部に導線（銅線その他の金属線）を入れ、光接続コードが一次側コネクタユニット，二次側コネクタユニットに挿入されると、導線が電気的に接続されるように構成する。この電気的な接続により、ポート間の接続が行われたかどうかをループ検知、または、データ送受信により確認する。設定されたポート間の接続が確認された場合には、該当のポートの一次側誘導発光部，二次側誘導発光部（緑）を消灯させ、接続完了のデータを設定表示部に送る。接続が違っている場合や、まだ、接続がされていない場合には、数分経過後に該当のポートの一次側誘導発光部，二次側誘導発光部（緑）を点滅させる。
【００１７】
このような本発明の請求項１に係る配線盤は、
一次側の外線および二次側の外線からそれぞれ引き出される複数の一次側光コードおよび複数の二次側光コードの間で配線するための配線盤であって、
一次側光コードの端末に設けられる一次側光コネクタと、
二次側光コードの端末に設けられる二次側光コネクタと、
一次側導線の端末に設けられる一次側接続部と、
二次側導線の端末に設けられる二次側接続部と、
一次側光コネクタおよび一次側接続部を収容する一次側コネクタユニットと、
二次側光コネクタおよび二次側接続部を収容する二次側コネクタユニットと、
一次側コネクタユニット周辺に配置される一次側誘導発光部と、
二次側コネクタユニット周辺に配置される二次側誘導発光部と、
配線用光コードおよび導線が並走し、光接続部および電気接続部を共に有する一次側共用コネクタおよび二次側共用コネクタが両端に設けられる光接続ケーブルと、
接続設定された組みを表す接続設定データを保存する接続設定データ保存部と、
接続設定データ保存部から接続設定データを読み出して、設定された一組の一次側誘導発光部および二次側誘導発光部を発光させる表示用ドライバ部と、
一次側導線および二次側導線に接続され、設定された一次側接続部および二次側接続部が導線に接続されていることを表すループ検出または信号通信が確認された場合に、表示用ドライバ部に一次側誘導発光部および二次側誘導発光部を消灯させる消灯信号を出力する接続確認部と、
を備えることを特徴とする。
【００１８】
また、本発明の請求項２に係る配線盤は、
請求項１に記載の配線盤において、
前記接続確認部は、設定された一次側接続部および二次側接続部並びに導線とで形成される回線によるループ検出または信号通信が確認されない場合に、表示用ドライバ部に一次側誘導発光部および二次側誘導発光部を点滅させる点滅信号を出力することを特徴とする。
【００１９】
また、本発明の請求項３に係る配線盤は、
請求項２に記載の配線盤において、
前記接続確認部は、ブザーによる警報報知またはスピーカによる音声報知により接続がされていないことを報知する報知部を備えることを特徴とする。
【００２０】
また、本発明の請求項４に係る配線盤は、
請求項１〜請求項３の何れか一項に記載の配線盤において、
接続設定データを送信する設定表示部と、
接続設定データを受信して接続設定データ保存部へ送信する通信部と、
を備えることを特徴とする。
【００２１】
また、本発明の請求項５に係る配線盤は、
請求項４に記載の配線盤において、
前記設定表示部と前記通信部との間にはネットワークが介在することを特徴とする。
【発明の効果】
【００２２】
以上のような本発明によれば、光コードによる配線でも、低コストかつ接続ミスの発生を抑止しつつ、誤接続予防機能および誤接続監視機能も実現するような配線盤を提供することができる。
【発明を実施するための最良の形態】
【００２３】
本発明の配線盤を実施するための最良の形態について図に基づき以下に説明する。図１，図２は本形態の配線盤の一部構成図であり、図１，図２を組み合わせて配線盤１０００を構成する。この配線盤はパッチパネル等の配線盤を包括する概念である。
配線盤１０００は、図１，図２で示すように、少なくともパネル盤１０，制御部２０を備える。配線盤１０００は、後述する設定のため設定表示部３０が必要であるが、通常は分離しておき、設定時のみ設定表示部３０を接続して設定できるようにしている。
なお、設定表示部３０を一体に内蔵するような配線盤１０００としても良い。この場合配線盤１０００は、パネル盤１０、制御部２０、設定表示部３０を備える。
また、ネットワーク４０を介して設定表示部５０を接続できる構成となっており、図示しないが、設定表示部３０のみの形態、設定表示部５０のみの形態、または、図２のような設定表示部３０，５０共に有する形態の何れを採用しても良い。
【００２４】
パネル盤１０では、一次側において、外線１００と、ｎ本の一次側光コード１１１〜１１ｎと、ｎ個の一次側光コネクタ１２１〜１２ｎと、ｎ個の一次側コネクタユニット１３１〜１３ｎと、ｎ個の一次側誘導ＬＥＤ１４１〜１４ｎと、ｎ個の一次側接続部１５１〜１５ｎと、を備える。
外線１００から引き出されるｎ本の一次側光コード１１１〜１１ｎの端末には、それぞれｎ個の一次側光コネクタ１２１〜１２ｎが接続される。このｎ個の一次側光コネクタ１２１〜１２ｎはそれぞれｎ個の一次側コネクタユニット１３１〜１３ｎに収容される。
また、ｎ個の一次側コネクタユニット１３１〜１３ｎには、それぞれ一次側接続部１５１〜１５ｎも収容され、ｎ個の一次側光コネクタ１２１〜１２ｎと並置される。同様にｎ個の一次側コネクタユニット１３１〜１３ｎには、それぞれ一次側誘導ＬＥＤ１４１〜１４ｎが取付けられている。
【００２５】
また、二次側において、外線２００と、ｎ本の二次側光コード２１１〜２１ｎと、ｎ個の二次側光コネクタ２２１〜２２ｎと、ｎ個の二次側コネクタユニット２３１〜２３ｎと、ｎ個の二次側誘導ＬＥＤ２４１〜２４ｎと、ｎ個の二次側接続部２５１〜２５ｎと、を備える。
外線２００から引き出されるｎ本の二次側光コード２１１〜２１ｎの端末には、それぞれｎ個の二次側光コネクタ２２１〜２２ｎが接続される。このｎ個の二次側光コネクタ２２１〜２２ｎはそれぞれｎ個の二次側コネクタユニット２３１〜２３ｎに収容される。
また、ｎ個の二次側コネクタユニット２３１〜２３ｎには、それぞれ二次側接続部２５１〜２５ｎも収容され、ｎ個の二次側光コネクタ２２１〜２２ｎと並置される。同様にｎ個の二次側コネクタユニット２３１〜２３ｎには、それぞれ二次側誘導ＬＥＤ２４１〜２４ｎが取付けられている。
【００２６】
光接続ケーブル３００は、これら一次側と二次側とを結ぶものであり、配線用光コード３０１、導線(金属線)３０２、一次側共用コネクタ３０３、二次側共用コネクタ３０４を備えている。
配線用光コード３０１と導線３０２とはケーブル内で並走しており、一次側共用コネクタ３０３、二次側共用コネクタ３０４では光接続部とともに、導線３０２による電気接続部が設けられている。
【００２７】
制御部２０は、図２で示すように通信部２１、接続設定データ保存部２２，表示用ドライバ部２３、接続確認部２４を備えている。
通信部２１は、直接またはネットワーク４０を介して設定表示部３０，５０と接続される。
図２の制御部２０内の表示用ドライバ部２３（詳しくは表示用電源２３ａ）には、図１で示すように、ｎ本の一次側ＬＥＤ制御線７０１を介してｎ個の一次誘導ＬＥＤ１４１〜１４ｎが、また、ｎ本の二次側ＬＥＤ制御線７０２を介してｎ個の二次誘導ＬＥＤ２４１〜２４ｎが、それぞれ接続される。
図２の制御部２０内の接続確認部２４（詳しくはループ検出部２４ａ）には、図１で示すように、ｎ本の一次側導線６０１を介してｎ個の一次側接続部１５１〜１５ｎが、また、ｎ本の二次側導線６０２を介してｎ個の二次側接続部２５１〜２５ｎが、それぞれ接続される。
【００２８】
光接続ケーブル３００による接続は、一次側の一つの一次側コネクタユニットに光接続ケーブルの一次側共用コネクタを結合し、また、二次側の一つの一次側コネクタユニットに光接続ケーブルの二次側共用コネクタを結合して配線する。例えば、図１で示すように、一次側の一次側コネクタユニット１３１に、光接続ケーブル３００の一次側共用コネクタ３０３を結合し、また、二次側の二次側コネクタユニット２３ｎに光接続ケーブル３００の二次側共用コネクタ３０４を結合して配線する。
【００２９】
続いて動作について図を参照しつつ説明する。図３は配線前の配線盤の説明図、図４は配線後の配線盤の説明図である。なお、図３，図４は図１，図２に跨る配線盤の構造を簡略化して図示するものである。この形態では、設定表示部３０のみ接続されているものとする。
【００３０】
まず、図３で示すように配線前において、作業現場で作業員は拡大接続表示ディスプレイ３２（図２参照）で確認しつつ設定表示部３０を操作し、接続設定情報を入力する。すると、設定表示部３０は接続設定データを作成する。この接続設定データは、例えばポート＃１−１とポート＃２−ｎという一組を接続する旨のデータである。ポート＃１−１は一次側コネクタユニット１３１を指し、ポート＃２−ｎは二次側コネクタユニット２３ｎを指す。なお、この接続設定データを作成するとき、実際は多数の組みを指定するデータとなっている。
設定表示部３０はこの接続設定データを内蔵する記憶部に登録して拡大接続表示ディスプレイ３２で表示できるようにする。そして設定表示部３０は接続設定データ保存部２２へ接続設定データを送信すると接続設定データ保存部２２は接続設定データを登録する。
なお、この接続設定データの登録作業までを事務所などで配線計画時に行い、設定表示部３０を作業現場まで持っていって通信部２１と接続通信することで行っても良い。
【００３１】
表示用ドライバ部２３は、接続設定データ保存部２２から接続設定データを読み出す。表示用ドライバ部２３は接続設定データのポートに対応しているＬＥＤを割り出す。先のポート＃１−１とポート＃２−ｎとに対応するＬＥＤは、ＬＥＤ１−１（一次側誘導ＬＥＤ１４１）と、ＬＥＤ２−ｎ（二次側誘導ＬＥＤ２４ｎ）と、なっており、表示用ドライバ部２３ではＬＥＤ１−１（一次側誘導ＬＥＤ１４１）と、ＬＥＤ２−ｎ（二次側誘導ＬＥＤ２４ｎ）と、を選択（スイッチＯＮ）し、一次側ＬＥＤ制御信号，二次側ＬＥＤ制御信号を送信すると、それぞれ一次側誘導ＬＥＤ１４１，二次側誘導ＬＥＤ２４ｎが点灯し、緑色で発光する。
【００３２】
作業員は、パネル盤１０において、ポート＃１−１（一次側コネクタユニット１３１）と、ポート＃２−ｎ（二次側コネクタユニット２３ｎ）とを、光接続ケーブル３００で接続する。接続後は図４で示すような状態となる。この際、ＬＥＤ１−１（一次側誘導ＬＥＤ１４１）と、ＬＥＤ２−ｎ（二次側誘導ＬＥＤ２４ｎ）と、が点灯しているため、作業員は接続箇所を間違えることがない。接続により、一次側光コネクタ１２１と一次側共用コネクタ３０３が、また、二次側光コネクタ２２１と二次側共用コネクタ３０４が、それぞれ接続される。
【００３３】
このとき、一次側接続部１５１と導線（銅線その他の金属線）３０２とがポート＃１−１で、また、二次側接続部２５ｎと導線３０２とがポート＃２−ｎで、それぞれ接続される。
一方、接続確認部２４は、接続設定データ保存部２２にアクセスして接続設定データを読み出している。接続確認部２４は接続設定データからポート＃１−１とポート＃２−ｎが接続される組みとして予め割り出しているため、ループ検出部２４ａが、これらポート間の電気的なループ検出が可能か否かを確認する。
確認方法は、ループ検出では、ポート＃１−１とポート＃２−ｎを選択（スイッチＯＮ）してループ用回線を形成した後に閉回路ができているか否か（つまり電気が流れているか否か）を確認する。
【００３４】
この場合、ループ検出部２４ａに代えてデータ送信部（図示せず）が設けられてデータ送信により接続を確認する場合も同様であり、ポート＃１−１とポート＃２−ｎを選択（スイッチＯＮ）してデータ送信用回線を形成した後にデータ送信してデータ通信が可能か否か（つまり閉回路ができているか否か）を確認する。
【００３５】
ループ検出やデータ送信が可能である場合、この接続は正常であると判断し、表示用ドライバ部２３にポート＃１−１のＬＥＤ１−１（一次側誘導ＬＥＤ１４１）と、ポート＃２−ｎのＬＥＤ２−ｎ（二次側誘導ＬＥＤ２４ｎ）とを消灯させる消灯信号を送る。表示用ドライバ部２３はその信号に応じて一次側ＬＥＤ制御信号，二次側ＬＥＤ制御信号を送信すると、それぞれ一次側誘導ＬＥＤ１４１，二次側誘導ＬＥＤ２４ｎを消灯する。
そして、接続がされた旨の結果を表す結果データを、通信部２１を介して設定表示部３０に送信する。後述するが設定表示部３０では接続が完了した旨を表示する。
【００３６】
一方、所定期間（例えば数分）を経過してもループ検出やデータ送信が不可能である場合では、この接続は異常であると判断し、接続確認部２４は、表示用ドライバ部２３にポート＃１−１のＬＥＤ１−１（一次側誘導ＬＥＤ１４１）と、ポート＃２−ｎのＬＥＤ２−ｎ（二次側誘導ＬＥＤ２４ｎ）とを点滅させる点滅信号を送る。表示用ドライバ部２３では、該当ポートのＬＥＤを点滅させる一次側ＬＥＤ制御信号，二次側ＬＥＤ制御信号を送信すると、それぞれ一次側誘導ＬＥＤ１４１，二次側誘導ＬＥＤ２４ｎが点滅する。
また、この場合内蔵する図示しない接続確認部が内蔵する図示しない報知部による報知（ブザー鳴動による警報音報知・スピーカによる音声報知など）を行う。
そして、接続がなされていない旨の結果を表す結果データを、通信部２１を介して設定表示部３０に送信する。設定表示部３０では接続が未了である旨を表示する。
【００３７】
このような完了または未了の何れの場合でも、設定表示部３０は、接続確認部２４からの結果データを受信し、そのデータを保存する。そして、この結果データを加工し、設定表示部３０の拡大接続表示ディスプレイ３２には、テキスト形式または、グラフィック形式で接続状態を表示する。さらに設定表示部３０はこの接続されたか否かを通知する接続状態を表示（または、プリントアウト）させる。
このようにして接続配線がなされる。
【００３８】
なお、沢山の光接続ケーブル３００を用いて多数組みのポートを接続するような場合もあり、この場合は上記の動作を順次繰り返していくこととなる。
最終的に、設定表示部３０は、接続確認部２４から送信される全ての結果データを保存している。そして、この全ての結果データを加工し、設定表示部３０の拡大接続表示ディスプレイ３２には、全てのポートについての接続結果を表す接続状態をテキスト形式または、グラフィック形式で表示する。さらに設定表示部３０はこの全てのポートについて接続されたか否かを通知する接続状態を表示（または、プリントアウト）させる。
本形態の配線盤１０００はこのようなものである。
【００３９】
なお、ネットワーク４０を介して外部にＰＣ等の設定表示部３０を接続できる構成を採用することにより、複数台（複数拠点）の配線盤を一括管理することができる。例えば図５で示すように拠点Ａで配線盤１０００Ａを、拠点Ｂで配線盤１０００Ｂを、拠点Ｃで配線盤１０００Ｃを、拠点Ｄで配線盤１０００Ｄを、それぞれネットワークの具体例であるＬＡＮ／ＷＡＮ４０を介して設定表示部５０が集中監視するような構成を採用できる。
この場合、例えば、拠点Ａ，Ｂ，Ｃ，Ｄを全て通過するような回線があったとしても、設定表示部５０で把握できるため、配線状況を容易に確認できるという利点もある。
【００４０】
このような本発明では、ＰＣのような設定表示部でポート間接続のデータベースが自動的に作成され、極力、人為的な判断・作業・処理を行わせないようにして誤接続に繋がる事象を回避することができる。接続設定データについては、管理用のデータとしてパソコン上でいろいろなデータとして加工し、使用することもでき（テキストでの接続リストの表示または、グラフィックによる接続表示等）ため、作業員に作業をわかりやすくさせるようなことも可能となる。
【００４１】
また、設定表示部５０で排他的な処理を行うことにより、接続されているポートをむやみに切断するおそれをなくすことも可能となる。
さらにまた、重要な回線接続については、論理的なロックを行うことができる（実際の配線盤で作業ミスが発生した場合には防ぐことはできない）。
これら防止策を施せるため、誤接続のおそれ、および、誤記入のおそれ、を共に低減し、何れも人為的な管理ミスの発生を最小限にすることができる。
【００４２】
なお、図１の形態において、一次側または二次側の複数のポートごとにブロック分けしてカバーをかぶせることにより一次側または二次側誘導ＬＥＤの目視が困難になる場合には、これらのカバーによって覆われる複数のＬＥＤに対する点灯信号の論理和により点灯する別の（ブロックごとの）ＬＥＤをカバーの表面に配置して目視できるようにすればよい。これにより、作業員は、カバーの表面に配置されたＬＥＤが点灯していればそのブロック内に目的とする接続対象のポートがあることを認識でき、カバーを開ければ実際に接続するべきポートの一次側及び二次側誘導ＬＥＤが点灯していることにより、速やかに接続作業を行うことができる。
【図面の簡単な説明】
【００４３】
【図１】本発明を実施するための最良の形態の配線盤の一部構成図である。
【図２】本発明を実施するための最良の形態の配線盤の一部構成図である。
【図３】配線前の配線盤の説明図である。
【図４】配線後の配線盤の説明図である。
【図５】配線盤のネットワーク構成の説明図である。
【図６】従来技術のパッチパネル盤の接続部の説明図である。
【図７】従来技術の他のパッチパネル盤の接続部の説明図である。
【符号の説明】
【００４４】
１０００：配線盤
１０：パネル盤
１００：外線
１１１〜１１ｎ：一次側光コード
１２１〜１２ｎ：一次側光コネクタ
１３１〜１３ｎ：一次側コネクタユニット
１４１〜１４ｎ：一次側誘導ＬＥＤ
１５１〜１５ｎ：一次側接続部
２００：外線
２１１〜２１ｎ：二次側光コード
２２１〜２２ｎ：二次側光コネクタ
２３１〜２３ｎ：二次側コネクタユニット
２４１〜２４ｎ：二次側誘導ＬＥＤ
２５１〜２５ｎ：二次側接続部
３００：光接続ケーブル
３０１：配線用光コード
３０２：導線（金属線）
３０３：一次側共用コネクタ
３０４：二次側共用コネクタ
４００：接続箇所
５００：接続箇所
６０１：一次側導線
６０２：二次側導線
７０１：一次側ＬＥＤ制御線
７０２：二次側ＬＥＤ制御線
２０：制御部
２１：通信部
２２：接続設定データ保存部
２３：表示用ドライバ部
２３ａ：表示用電源
２４：接続確認部
２４ａ：ループ検出部
３０：設定表示部
３１：設定操作部
３２：拡大接続表示ディスプレイ
４０：ネットワーク（ＬＡＮ／ＷＡＮ）
５０：設定表示部
５１：設定操作部
５２：拡大接続表示ディスプレイ
【図１】
2006039165.tif 000003
【図２】
2006039165.tif 000004
【図３】
2006039165.tif 000005
【図４】
2006039165.tif 000006
【図５】
2006039165.tif 000007
【図６】
2006039165.tif 000008
【図７】
2006039165.tif 000009